(57)【要約】【課題】高振動で篩を駆動した場合においても篩網の目詰まりを防止できる。【解決手段】ブラシ１は、矩形の板部材から構成された本体１１と、本体１１の片面に突出して形成された突出部１２とを備え、枠体の振動時には、突出部１２の曲面が支持網２３と接触する点が移動しつつ本体１１が揺動し、篩網２２に本体１１の端辺を当接させて、篩網２２の目詰まりを抑制する。【選択図】図８
0003171706.tif 000002
【実用新案登録請求の範囲】
【請求項１】
枠部材の一方の側に設けられ、波形に形成された線材を縦横に編み上げて形成された支持網と、他方の側に設けられた篩網とを有し、枠部材を振動させることにより粉体を篩い分ける選別装置の、篩網と支持網の間に配置されるブラシであって、
板状の本体と、該本体の支持網側の面において支持網方向に隆起した突出部を備え、該突出部は、縦横の断面輪郭形状が凸円弧状であり、前記突出部の頂点は、平面視において前記本体の重心よりも所定距離離れた位置にある目詰まり防止用ブラシ。
【考案の詳細な説明】
【技術分野】
【０００１】
この考案は、製粉装置の篩に装填され篩網の目詰まりを防止するブラシに関するものである。
【背景技術】
【０００２】
従来、小麦粉等の製粉工場においては、多段式篩い分け選別機が用いられている。この選別機は、篩網が貼り付けられた枠体を上下方向に複数段収納した振動体を、駆動装置で振動させる構成であり、収納された枠体には、異なる大きさの網目を有する篩網が貼り付けられている。目詰まり防止用ブラシは、この篩網の網目の目詰まりを防止するために、各枠体内に装填されるものである。
【０００３】
枠体は、矩形の枠で構成され、その枠の一方の面に篩網が貼り付けられ、他方の面には、クリンプ網が装着されており、この篩網とクリンプ網の間に、目詰まり防止用ブラシが装填される。
【０００４】
このブラシの従来の構造は、図９に示されているように、矩形又は三角形の板部材５１の片面に半球状の突起部５２を設けた構成である。図１０に示されているように、突起部５２は、クリンプ網６２に接触し、枠体の振動によって、ブラシ５がクリンプ網６２上を移動すると、ブラシ５の板部材５１の端が篩網６１の下側面に接触しながら移動し、この接触しながらの移動によって、篩網６１の目に詰まった粉が落とされる構造となっている。このようなブラシ５の接触は、枠体内において、ブラシ５の板部材５１が斜めに傾斜した状態（図１０における想像線）となることで、板部材５１の端が篩網６１の下面に到達でき、粉落としが可能となる。
【先行技術文献】
【特許文献】
【０００５】
【特許文献１】実開平０３−７０７８８号
【考案の概要】
【考案が解決しようとする課題】
【０００６】
しかし、従来のブラシでは、以下のような問題があった。
【０００７】
枠体の振動は、篩網の平面に沿って枠体を中心から偏心した位置を中心に回転させることにより、振動を与えるもので、垂直方向へ加えられる振動は少ない。ここで、駆動装置の回転を速くすると、ブラシ５自体が突起部５２を中心にコマのように回転してしまい、図１０に示されているように、板部材５１が篩網６１に対して傾斜することなく平行な状態となってしまう。このため、振動のための駆動回転を速くすると、ブラシ５が篩網６１に接触しなくなり、十分な目詰まり防止効果が得られてない。
【０００８】
この考案の目的は、速い振動で篩を駆動した場合でも篩網の目詰まりを防止できる目詰まり防止用ブラシを提供することにある。
【課題を解決するための手段】
【０００９】
以上のような目的は、以下の本考案によって達成される。
【００１０】
（１）枠部材の一方の側に設けられ、波形に形成された線材を縦横に編み上げて形成された支持網と、他方の側に設けられた篩網とを有し、枠部材を振動させることにより粉体を篩い分ける選別装置の、篩網と支持網の間に配置されるブラシであって、
板状の本体と、該本体の支持網側の面において支持網方向に隆起した突出部を備え、該突出部は、縦横の断面輪郭形状が凸円弧状であり、前記突出部の頂点は、平面視において前記本体の重心よりも所定距離離れた位置にある目詰まり防止用ブラシ。
【考案の効果】
【００１１】
請求項１に記載の考案によれば、突出部の湾曲面が支持網に接触し、この接触点を中心して本体が揺動する。そして、枠部材内では、ブラシの本体は、常に斜めに傾斜した状態に維持され、本体の一方の端辺が、常に篩網の下面に接触した状態となる。突出部は、先端辺で支持網に線接触することになるので、枠体の回転振動が速くなっても、コマのように回転することがなく、本体を常に傾斜した状態とすることができる。また、枠部材の回転によって、本体の傾斜方向が変化・揺動する度に、本体の端辺が篩網を下側から叩く作用を発揮する。この本体の端辺による篩網を叩く作用によって、篩網の目詰まりが抑制される。 
また、突出部が滑らかな曲面状となっているので、支持網上を移動することが容易となり、均一に篩網の下面にブラシの端辺を接触させることができる。
【図面の簡単な説明】
【００１２】
【図１】本考案の目詰まり防止用ブラシが装填される枠体を複数装填した選別機の模式図である。
【図２】本考案の目詰まり防止用ブラシが装填される枠体の全体斜視図である。
【図３】支持網の全体斜視図である。
【図４】本考案の目詰まり防止用ブラシの正面図である。
【図５】同じく側面図である。
【図６】同じく底面図である。
【図７】枠体に装填されている目詰まり防止用ブラシの状態を示す正面図である。
【図８】枠体に装填されている目詰まり防止用ブラシの状態を示す側面図である。
【図９】他の実施形態を示す目詰まり防止用ブラシの底面図である。
【図１０】同じく側面図である。
【考案を実施するための形態】
【００１３】
以上のような目的を達成するための本考案は以下の構成を有する。図１は本考案の目詰まり防止用ブラシ１が装填される枠体２を複数装填した選別機３の模式図であり、図２は枠体２の全体斜視図である。
【００１４】
図１に示されているように、本考案が使用される選別機３は、枠体２を上下方向に複数段収納する収納部３１と、収納部３１を振動駆動させる駆動装置３２とを備えている。枠体２は、枠部材２１と、枠部材２１の一方の側に張設された篩網２２と、他方の面に調節された支持網２３とを備えており、選別機３に装填される枠体２の篩網２２は、上から下へ向かう順に、篩の目が細かくなるように構成されている。
【００１５】
図３に示されているように、この枠体２の支持網２３は、同じピッチの波状に形成された線材を、縦材２３１と横材２３２として、縦横に編み込んで形成されている。そして、縦材２３１と横材２３２の交差部分２３０は、それぞれの線材の山の部分と谷の部分が交差するように構成されている。
【００１６】
支持網２３と篩網２２の間には、目詰まり防止用ブラシ１（以下、「ブラシ」という）が介挿されている。図４は、ブラシ１の正面図、図５は同じく側面図、図６は同じく底面図である。
【００１７】
図４〜及び図６に示されているように、ブラシ１は、矩形の板部材から構成された本体１１と、本体１１の支持網２３側の面に突出して形成された突出部１２とを備えている。突出部１２は、本体１１の全面から隆起し頂点へ向けて凸状の曲面を有している。換言すると、突出部は、縦横の断面輪郭形状が凸円弧状となるように形成されている。断面輪郭の凸円弧状の形状は、各端辺（長辺１１１、短辺１１２）から頂点Ｐに向かって円弧の曲率が漸増するように形成されている。そして、突出部の頂点Ｐは、平面視において前記本体の重心Ｇよりも所定距離ｅ離れた位置にある。重心Ｇの位置と頂点Ｐの位置関係は、図６に示されているように、長辺１１１に平行な方向に沿った直線上に位置している場合に限らず、他の方向に所定距離離れた位置（例えば本体１１の対角線方向に沿った方向や、短辺１１２に沿った方向）であってもよい。
【００１８】
突出部１２は、全体として滑らかな傾斜となっており、支持網２３の上を滑らかに移動することが可能となる。
【００１９】
この実施形態では、突出部１２と本体１１は同一の材料で一体に形成されている。例えば、合成樹脂で構成され、射出成形によって一体形成することもできる。
【００２０】
図７及び図８は、枠体２に装填されているブラシ1の状態を示す側面図である。以上のような構成において、ブラシ１は、突出部１２が支持網２３に接触し、突出部１２の表面と支持網２３との接触点を移動させながら、本体１１が揺動し、枠体２内では、常に斜めに傾斜状態に維持され、本体１１のいずれかの端辺（長辺１１１又は短辺１１２）、常に篩網２２の下面に接触した状態となる。突出部１２と支持網２３との接触点は常に変化することになるので、枠体２の回転振動が速くなっても、ブラシ１がコマのように回転することがなく、本体１１を常に傾斜した状態とすることができる。また、枠体２の回転によって揺動し、傾斜方向が揺動変化する度に、或いは同じ姿勢で揺動する度に、本体１１のいずれかの端辺（長辺１１１又は短辺１１２）が篩網２２を下側から叩く作用を発揮する。この本体１１の端辺によって篩網を叩く作用によって、篩網２２の目詰まりが抑制される。
【００２１】
なお、突出部１２は、本体１１と一体形成することなく、別個に形成して、本体１１に固定してもよく、本体１１とは異なる材質、例えば、金属や他の合成樹脂等で構成してもよい。本体１１の形状は、矩形に限らず、正方形や、三角形等の他の多角形、円形であってもよい。
【符号の説明】
【００２２】
１  目詰まり防止用ブラシ
１１  本体
１１１  長辺
１１２  短辺
１２  突出部
２  枠体
２１  枠部材
２２  篩網
２３  支持網
３  選別機
Ｇ  重心
Ｐ  頂点
【図１】
0003171706.tif 000003
【図２】
0003171706.tif 000004
【図３】
0003171706.tif 000005
【図４】
0003171706.tif 000006
【図５】
0003171706.tif 000007
【図６】
0003171706.tif 000008
【図７】
0003171706.tif 000009
【図８】
0003171706.tif 000010
【図９】
0003171706.tif 000011
【図１０】
0003171706.tif 000012